(57)【要約】【課題】二重編組構造の同軸ケーブルと同等の屈曲特性を有しながらケーブルの軽量化を実現する。【解決手段】同軸ケーブル１は、内部導体３の外周に絶縁体５を設け、前記絶縁体５の外周に複数層からなる外部導体７，９を設け、前記複数層の外部導体の最外層の外周にシース１１を設けている。また、前記複数層の外部導体のうちの少なくとも１層が、プラスチックテープの片面又は両面に金属層を固着させた複合テープ１７を編み込みした構成である。【選択図】図１
2006012707.tif 000002
【特許請求の範囲】
【請求項１】
内部導体の外周に絶縁体を設け、この絶縁体の外周に複数層からなる外部導体を設け、前記複数層の外部導体の最外層の外周にシースを設けた同軸ケーブルにおいて、
前記複数層の外部導体のうちの少なくとも１層が、プラスチックテープの片面又は両面に金属層を固着させた複合テープを編組して構成されていることを特徴とする同軸ケーブル。
【請求項２】
前記複合テープの金属層が、前記プラスチックテープの片面又は両面に貼り付けた金属箔であることを特徴とする請求項１記載の同軸ケーブル。
【請求項３】
前記複合テープの金属層が、前記プラスチックテープの片面又は両面に蒸着して固着させた金属層であることを特徴とする請求項１記載の同軸ケーブル。
【請求項４】
前記複数層の外部導体のうちの少なくとも１層が、金属線を編組して構成されていることを特徴とする請求項１，２又は３記載の同軸ケーブル。
【発明の詳細な説明】
【技術分野】
【０００１】
この発明は、同軸ケーブルに関し、特にテレビジョン放送用などの様々な用途に使用できる同軸ケーブルの軽量化を実現することのできる同軸ケーブルに関する。
【背景技術】
【０００２】
従来、同軸ケーブルとしては、外部導体の可撓性を良くするために金属線編組が用いられているが、金属線編組が１重のときは編組の隙間から電磁波が外部に漏洩する。これでは伝送損失（「減衰量」ともいう）が増加し、伝送特性の劣化（減衰量の増加）が生じる。電磁波が外部導体の隙間から外部へ漏洩することを防ぐために、換言すれば同軸ケーブルの遮蔽性能を向上させるために、二重編組構造又はＦＢ構造の２種類の同軸ケーブルが使用されている。
【０００３】
図４を参照するに、第１の従来例の二重編組構造の同軸ケーブル１０１としては、例えば軟銅線からなる内部導体１０３と、この内部導体１０３の外周に設けられた発泡ポリエチレンからなる絶縁体１０５と、この絶縁体１０５の外周に設けられた軟銅線編組からなる第１外部導体１０７と、この第１外部導体１０７の外周に設けられた軟銅線編組からなる第２外部導体１０９と、この第２外部導体１０９の外周に被覆されたＰＶＣからなるシース１１１と、から構成されている（例えば、特許文献１参照）。
【０００４】
また、図５を参照するに、第２の従来例のＦＢ構造の同軸ケーブル１１３としては、図４の同軸ケーブル１０１と同じ部材は同一符号を付して説明すると、基本的には、１重の金属線編組のほかに、遮蔽効果をあげるためにプラスチックテープなどに金属層を固着させた複合テープ１１５がケーブルの長さ方向に縦添えされている。すなわち、同軸ケーブル１１３は、例えば軟銅線からなる内部導体１０３と、この内部導体１０３の外周に設けられた発泡ポリエチレンからなる絶縁体１０５と、この絶縁体１０５の外周に設けられたアルミ箔貼付けプラスチックテープの複合テープ１１５で縦添えした第１外部導体１１７と、この第１外部導体１１７の外周に設けられた錫メッキ軟銅線編組からなる第２外部導体１１９と、この第２外部導体１１９の外周に被覆されたＰＶＣからなるシース１１１と、から構成されている（例えば、特許文献２参照）。
【特許文献１】特開２００３−７１４５号公報
【特許文献２】特開２００３−２５７２５７号公報
【発明の開示】
【発明が解決しようとする課題】
【０００５】
ところで、前者の第１の従来例の同軸ケーブル１０１においては、後者の第２の従来例の同軸ケーブル１１３と比較して構造的に重量が重くなるという問題点があった。また、軟銅線編組からなる第１外部導体１０７と第２外部導体１０９は、金属線自体の線径が細いため、ケーブル全長にわたって編組するには時間がかかり、加工工数が増大してコストアップになるという問題点があった。
【０００６】
一方、後者の同軸ケーブル１１３の構造は、アルミ箔貼付けプラスチックテープからなる第１外部導体１１７を縦添えしているので加工速度が高まるのでコストダウンが可能であり、しかも前者の同軸ケーブル１０１に比べて軽量ではある。
【０００７】
しかし、このＦＢ構造の同軸ケーブル１１３はその特徴の１つとして曲げ易いことから、例えば曲げ半径Ｒを小さくすると、アルミ箔貼付けプラスチックテープの第１外部導体１１７は、図６に示されているように曲げ平均半径ＲＣより曲げ中心Ｏに近い内側部分では長さが余剰になるために皺（シワ）が寄る。一方、曲げ平均半径ＲＣより外側の部分では引っ張られて伸びきってしまう。その結果として、伝送特性の劣化（減衰量の増加）を生じるという問題点があった。
【０００８】
この発明は上述の課題を解決するためになされたものである。
【課題を解決するための手段】
【０００９】
この発明の同軸ケーブルは、内部導体の外周に絶縁体を設け、この絶縁体の外周に複数層からなる外部導体を設け、この複数層の外部導体の最外層の外周にシースを設けた同軸ケーブルにおいて、
前記複数層の外部導体のうちの少なくとも１層が、プラスチックテープの片面又は両面に金属層を固着させた複合テープを編組して構成されていることを特徴とするものである。
【００１０】
また、この発明の同軸ケーブルは、前記同軸ケーブルにおいて、前記複合テープの金属層が、前記プラスチックテープの片面又は両面に貼り付けた金属箔であることが好ましい。
【００１１】
また、この発明の同軸ケーブルは、前記同軸ケーブルにおいて、前記複合テープの金属層が、前記プラスチックテープの片面又は両面に蒸着して固着させた金属層であることが好ましい。
【００１２】
また、この発明の同軸ケーブルは、前記同軸ケーブルにおいて、前記複数層の外部導体のうちの少なくとも１層が、金属線を編組して構成されていることが好ましい。
【発明の効果】
【００１３】
以上のごとき課題を解決するための手段から理解されるように、この発明によれば、複数層の外部導体のうちの少なくとも１層が複合テープを編組した構成であるので、多重編組構造の同軸ケーブルの屈曲特性を有しながらケーブルの軽量化を実現することができる。
【００１４】
また、複合テープで編み込みされた外部導体は小さな曲げ半径においても編上げられた各部分で互いに融通し合うので、大きな皺が寄ったり、伸びきったりすることを防止できる。
【発明を実施するための最良の形態】
【００１５】
以下、この発明の実施の形態について図面を参照して説明する。
【００１６】
図１を参照するに、この実施の形態に係る同軸ケーブル１は、例えば軟銅線からなる内部導体３と、この内部導体３の外周に設けられた発泡ポリエチレンからなる絶縁体５と、この絶縁体５の外周に設けられた複合テープ編み込み構造からなる第１外部導体７と、この第１外部導体７の外周に設けられた軟銅線編組からなる第２外部導体９と、この第２外部導体９の外周に被覆されたＰＶＣからなるシース１１と、から構成されている。
【００１７】
上記の第１外部導体７について詳しく説明すると、第１外部導体７は、金属層としての例えば金属箔をプラスチックテープに貼り付けて固着した複合テープが編み込まれた複合テープ編み込み構造である。
【００１８】
なお、複合テープとしては、上記の金属箔がプラスチックテープの片面又は両面に接着剤層を介して貼着されたものであっても構わない。また、前記金属箔がアルミ箔あるいは銅箔であっても、あるいはその他の金属箔であっても構わない。
【００１９】
例えば、銅箔貼付けプラスチックテープからなる複合テープ１７の構造は、図２（Ａ）に示されているようにプラスチックテープ１５の片面に接着剤層１９を介して金属箔１３としての銅箔が貼着されている。あるいは、図２（Ｂ）に示されているようにプラスチックテープ１５の両面に接着剤層１９を介して金属箔１３としての銅箔が貼着されている。
【００２０】
また、上記の第１外部導体７を構成する複合テープ１７の金属層としては、金属箔１３をプラスチックテープ１５の片面又は両面に貼着したものであるが、プラスチックテープ１５の片面又は両面に蒸着して固着しても、あるいは他の方法で固着することもできる。
【００２１】
なお、この実施の形態では、第２外部導体９は軟銅線編組から構成されているが、例えば錫メッキ軟銅線や他の金属線による編組の構成であっても構わない。
【００２２】
したがって、この実施の形態の同軸ケーブル１は、前述した図４の第１の従来例の同軸ケーブル１０１と図５の第２の従来例の同軸ケーブル１１３の両者の特徴を兼ね備えたものとなる。
【００２３】
この発明の実施の形態の同軸ケーブル１と、前述した第１の従来例の同軸ケーブル１０１と、第２の従来例の同軸ケーブル１１３と、を比較する。なお、比較特性としては、各同軸ケーブル１，１０１，１１３の質量と減衰量である。
【００２４】
なお、各同軸ケーブル１，１０１，１１３において第１外部導体及び第２外部導体は異なる部分であるが、その他の内部導体、絶縁体、シースは外径及び材料が同一であり、各同軸ケーブル１，１０１，１１３の外径は約９ｍｍで同一である。また、各同軸ケーブル１，１０１，１１３の材料及び外径は表１に示されている通りである。
【表１】
2006012707.tif 000003
【００２５】
表１に示されているように、この実施の形態の同軸ケーブル１は二重編組構造であるが、第２の従来例のＦＢ構造の同軸ケーブル１１３と同程度の質量となっており、第１の従来例の二重編組構造の同軸ケーブル１０１に対して軽量化が実現している。
【００２６】
また、図３を参照するに、各同軸ケーブル１，１０１，１１３の屈曲試験による屈曲回数に対する減衰量の変化量の結果がグラフで記載されている。このグラフでは、各同軸ケーブル１，１０１，１１３のそれぞれ２種類のケーブルが試験資料として試験されている。このグラフから分かるように、この実施の形態の同軸ケーブル１は第２の従来例のＦＢ構造の同軸ケーブル１１３と比較して減衰量の変化量が抑えられており、しかも第１の従来例の二重編組構造の同軸ケーブル１０１と同程度の減衰量の変化量であることが確認されている。
【００２７】
以上説明したように、この実施の形態の同軸ケーブル１は、第１の従来例の二重編組構造の同軸ケーブル１０１と同等の屈曲特性を有しながらケーブルの軽量化を実現できる。
【００２８】
また、第２の従来例のＦＢ構造の同軸ケーブル１１３では複合テープ１７が縦添えされていることに起因する欠点があったが、この実施の形態の同軸ケーブル１では上記の複合テープ１７を編み込みしていることにより、複合テープ１７で編み込みされた第１外部導体７は、小さな曲げ半径においても編上げられた各部分で互いに融通し合うので、大きな皺が寄ったり、伸びきったりすることを防止できる。
【００２９】
なお、この発明は前述した実施の形態に限定されることなく、適宜な変更を行うことによりその他の態様で実施し得るもので、他の形態の同軸ケーブル全てに適用可能である。前述した実施の形態の同軸ケーブル１では、複数層の外部導体の構造が第１外部導体７と第２外部導体９との二重編組構造で説明したが、複数層の外部導体のうちの少なくとも１層が前述したような複合テープを編み込みした構成でなる多重構造であっても適用が可能である。なお、この多重構造の場合は前記複数層の外部導体のうちの少なくとも１層が、金属線を編組した構成であることが望ましい。
【００３０】
また、この発明の同軸ケーブル１の用途としてはテレビジョン信号伝送用をはじめ、様々な用途に適用可能である。
【図面の簡単な説明】
【００３１】
【図１】この発明の実施の形態の同軸ケーブルの断面図である。
【図２】（Ａ），（Ｂ）は、図１の第１の外部導体の複合テープの断面図である。
【図３】この発明の実施の形態の同軸ケーブル及び従来例の各同軸ケーブルの屈曲試験における減衰量の変化量を示すグラフである。
【図４】第１の従来例の同軸ケーブルの断面図である。
【図５】第２の従来例の同軸ケーブルの断面図である。
【図６】第２の従来例の同軸ケーブルにおける第１外部導体の曲げ状態の概略説明図である。
【符号の説明】
【００３２】
１  同軸ケーブル（この実施の形態の）
３  内部導体
５  絶縁体
７  第１外部導体（複合テープ編み込み）
９  第２外部導体（軟銅線編組）
１１  シース
１３  金属箔
１５  プラスチックテープ
１７  複合テープ
１９  接着剤層
１０１  同軸ケーブル（第１の従来例の二重編組構造）
１０７  第１外部導体（軟銅線編組）
１０９  第２外部導体（軟銅線編組）
１１３  同軸ケーブル（第２の従来例のＦＢ構造）
１１５  複合テープ
１１７  第１外部導体（アルミ箔貼付けプラスチックテープ）
１１９  第２外部導体（錫メッキ軟銅線編組）
【図１】
2006012707.tif 000004
【図２】
2006012707.tif 000005
【図３】
2006012707.tif 000006
【図４】
2006012707.tif 000007
【図５】
2006012707.tif 000008
【図６】
2006012707.tif 000009